(57)【要約】      （修正有）【課題】レイアウト性を高めつつ安全性を確保することのできる車両用シフト装置を提供する。【解決手段】操作部材が前方へ第１操作量変位操作されると変速レンジがリバースレンジに切り替わり、後方へ第２操作量変位操作されると変速レンジがドライブレンジに切り替わり、車幅方向に第３操作量変位操作されると変速レンジがニュートラルレンジに切り替わるように構成し、第３操作量を第１操作量および第２操作量よりも小さくするとともに、車両が登坂中であり且つアクセルペダルが踏み込み操作されている場合には、操作部材がニュートラルレンジへの切り替え方向に第３操作量変位操作されてもニュートラルレンジへの切り替えを許可しないようにする。【選択図】図１１
2016113069.tif 000002
【特許請求の範囲】
【請求項１】
ドライバーにより踏み込み操作されるアクセルペダルを備えた車両に設けられて、前進方向の走行レンジであるドライブレンジ、後退方向の走行レンジであるリバースレンジ、およびニュートラルレンジの間で車両の変速レンジを切り替えるための車両用シフト装置であって、
操作部材と、
上記操作部材を少なくとも車幅方向一方側および前後方向に変位可能に支持するとともに、変位後の操作部材を所定のホーム位置に自動的に復帰させる本体部と、
上記操作部材がホーム位置から前方へ第１操作量変位操作されると変速レンジがリバースレンジに切り替わり、上記操作部材がホーム位置から後方へ第２操作量変位操作されると変速レンジがドライブレンジに切り替わり、上記操作部材がホーム位置から車幅方向一方側に第３操作量変位操作されると変速レンジがニュートラルレンジに切り替わるように、上記操作部材の操作に応じて車両の変速レンジを制御する制御手段とを備え、
上記第１操作量、第２操作量および第３操作量は、上記第３操作量が上記第１操作量および第２操作量よりも小さくなるように予め設定されており、
上記制御手段は、車両が登坂中であり且つ上記アクセルペダルが踏み込み操作されている場合には、上記操作部材がニュートラルレンジへの切り替え方向に上記第３操作量変位操作されてもニュートラルレンジへの切り替えを許可しないことを特徴とする車両用シフト装置。
【請求項２】
請求項１に記載の車両用シフト装置において、
上記ニュートラルレンジへの切り替え方向は、車幅方向のうち、運転席に着座しているドライバーから遠ざかる方向に設定されていることを特徴とする車両用シフト装置。
【請求項３】
請求項１または２に記載の車両用シフト装置において、
上記制御手段は、車両が登坂中であり且つ上記アクセルペダルが踏み込み操作されている状態であっても、エンジン回転数が予め設定された基準回転数以上のときは、上記操作部材がニュートラルレンジへの切り替え方向に上記第３操作量変位操作されるのに応じてニュートラルレンジへの切り替えを許可することを特徴とする車両用シフト装置。
【請求項４】
請求項１〜３のいずれかに記載の車両用シフト装置において、
上記制御手段は、車両が登坂中であり且つ上記アクセルペダルが踏み込み操作されている状態であっても、上記操作部材に対して予め設定された切替許容操作が行われたときは、ニュートラルレンジへの切り替えを許可することを特徴とする車両用シフト装置。
【請求項５】
請求項４に記載の車両用シフト装置において、
上記制御手段は、上記操作部材をニュートラルレンジへの切り替え方向に上記第３操作量変位させる操作が所定時間以内に複数回繰り返されたときに、上記切替許容操作が行われたと判定することを特徴とする車両用シフト装置。
【請求項６】
請求項４に記載の車両用シフト装置において、
上記制御手段は、上記操作部材をニュートラルレンジへの切り替え方向に上記第３操作量変位したときに当該操作部材に加えられている操作力が予め設定された基準力以上であれば、上記切替許容操作が行われたと判定することを特徴とする車両用シフト装置。
【請求項７】
請求項４に記載の車両用シフト装置において、
上記制御手段は、上記操作部材をニュートラルレンジへの切り替え方向に上記第３操作量変位した状態が予め設定された基準時間以上継続したときに、上記切替許容操作が行われたと判定することを特徴とする車両用シフト装置。
【発明の詳細な説明】
【技術分野】
【０００１】
本発明は、車両の変速レンジを切り替えるための車両用シフト装置に関する。
【背景技術】
【０００２】
車両用シフト装置として、近年、シフトレバーのポジションを電気的に検出して変速を行う、いわゆるエレキシフターが知られている。エレキシフターは、機械式の変速機を持たない電気自動車またはハイブリッド自動車において使用されることが多かった。ところが、操作部材と変速機との機械的な接続が不要なエレキシフターは、そのデザイン自由度の高さから、機械式の変速機を備えた車両、例えばエンジン（内燃機関）のみを動力源とする従来型の自動車に対しても徐々に用いられつつある。
【０００３】
また、操作部材の操作ストロークに制約がないエレキシフターでは、コンパクト化や操作性の向上を図る観点から、モメンタリ式と呼ばれる機構が採用されることが多い。具体的に、モメンタリ式のエレキシフターでは、所定のホーム位置を起点にシフトレバーが所定の方向に変位操作されると変速レンジが変更され、その後シフトレバーから手が放されると、変更後の変速レンジを維持したまま自動的にシフトレバーがホーム位置に復帰するようになっている。
【０００４】
例えば、特許文献１には、コンソールの表面に十字の案内溝が切られており、この十字の中央をホーム位置として上記案内溝に沿ってシフトレバーが変位するよう構成されたモメンタリ式のエレキシフターであって、ホーム位置から前後にシフトレバーが傾動操作されることで変速レンジがリバースレンジ、ドライブレンジに切り替えられ、ホーム位置から車幅方向にシフトレバーが傾動操作されることで変速レンジがニュートラルレンジ、パーキングレンジに切り替えられるものが開示されている。
【先行技術文献】
【特許文献】
【０００５】
【特許文献１】特開２００２−２５４９４４号公報
【発明の概要】
【発明が解決しようとする課題】
【０００６】
ここで、シフト装置は、運転席と助手席との間に位置するセンターコンソール上に設けられることが多い。センターコンソールはその車幅方向の寸法に制約があり、また、シフト装置以外の種々の装置がセンターコンソール上に設けられる場合がある。そのため、シフト装置の車幅方向の寸法をより小さくして、レイアウト性を高めることが求められている。これに対して、特許文献１の装置では、上記十字の案内溝の中央からこの案内溝の各端部までの距離が前後左右で同一となっており、シフトレバーの車幅方向の可動範囲が大きくなるので、車幅方向にシフト装置を十分にコンパクト化できずレイアウト性が悪いという問題がある。
【０００７】
ここで、特許文献１の装置においても、案内溝全体の大きさを小さくすれば、シフト装置を車幅方向にコンパクト化することはできる。しかしながら、このようにした場合には、ドライバーや他の乗員がうっかりシフトレバーに触れてしまうことによりシフトレバーが移動して予期せぬ変速レンジの切り替えが行われるおそれがある。
【０００８】
例えば、乗員の手が誤ってシフトレバーに触れてシフトレバーが前後にわずかに移動しただけで、乗員の意に反して変速レンジがドライブレンジやリバースレンジに切り替わるおそれがある。また、走行レンジが選択された状態で車両が走行しているときに、乗員の意に反して変速レンジがニュートラルレンジに切り替わるおそれがある。特に、このようなニュートラルレンジへの切り替わりが、車両が登坂路を力行しているとき（車両が登坂中で、かつ、アクセルペダルが踏み込み操作されているとき）に生じた場合には、駆動トルクの抜けに伴って車両がドライバーの意に反して減速することになり好ましくない。
【０００９】
本発明は、上記のような事情に鑑みてなされたものであり、レイアウト性を高めつつ安全性を確保することのできる車両用シフト装置を提供することを目的とする。
【課題を解決するための手段】
【００１０】
上記課題を解決するためのものとして、本発明は、ドライバーにより踏み込み操作されるアクセルペダルを備えた車両に設けられて、前進方向の走行レンジであるドライブレンジ、後退方向の走行レンジであるリバースレンジ、およびニュートラルレンジの間で車両の変速レンジを切り替えるための車両用シフト装置であって、操作部材と、上記操作部材を少なくとも車幅方向一方側および前後方向に変位可能に支持するとともに、変位後の操作部材を所定のホーム位置に自動的に復帰させる本体部と、上記操作部材がホーム位置から前方へ第１操作量変位操作されると変速レンジがリバースレンジに切り替わり、上記操作部材がホーム位置から後方へ第２操作量変位操作されると変速レンジがドライブレンジに切り替わり、上記操作部材がホーム位置から車幅方向一方側に第３操作量変位操作されると変速レンジがニュートラルレンジに切り替わるように、上記操作部材の操作に応じて車両の変速レンジを制御する制御手段とを備え、上記第１操作量、第２操作量および第３操作量は、上記第３操作量が上記第１操作量および第２操作量よりも小さくなるように予め設定されており、上記制御手段は、車両が登坂中であり且つ上記アクセルペダルが踏み込み操作されている場合には、上記操作部材がニュートラルレンジへの切り替え方向に上記第３操作量変位操作されてもニュートラルレンジへの切り替えを許可しないことを特徴とする車両用シフト装置を提供する（請求項１）。
【００１１】
本発明によれば、ドライブレンジおよびリバースレンジへの切り替えに必要な前後方向の操作量（第１操作量、第２操作量）が比較的大きく確保されているので、これらのレンジへの予期せぬ切り替えを抑制することができる。しかも、ニュートラルレンジへの切り替えに必要な車幅方向の操作量（第３操作量）が小さく抑えられているので、操作部材の車幅方向の可動範囲を小さく抑えて、シフト装置のレイアウト性を高めることができる。
【００１２】
ただし、このようにニュートラルレンジへの切り替えに必要な車幅方向の操作量を小さくした場合には、例えば乗員の手が誤って操作部材に触れるなどしたときに、操作部材が比較的容易に必要操作量（第３操作量）分変位してしまい、ドライバーの意に反して変速レンジがニュートラルレンジに切り替わるという事態が起こり得る。特に、このような不意なニュートラルレンジへの切り替わりが、車両が登坂路を力行しているとき（車両が登坂中で、かつ、アクセルペダルが踏み込まれているとき）に起きると、駆動トルクの抜けに伴って車両が意に反して減速することになり好ましくない。
【００１３】
これに対して、本発明では、操作部材がニュートラルレンジへの切り替え方向に必要な操作量（第３操作量）操作された場合であっても、車両が登坂中であり且つアクセルペダルが踏み込み操作されている場合には、ニュートラルレンジに切り替わらないように構成されている。そのため、ドライバーの意に反してニュートラルレンジに切り替わり上記のような減速が生じるのを抑制することができ、走行中の車両の安全性を確保することができる。
【００１４】
本発明において、上記ニュートラルレンジへの切り替え方向は、車幅方向のうち、運転席に着座しているドライバーから遠ざかる方向に設定されているのが好ましい（請求項２）。
【００１５】
このようにすれば、ニュートラルレンジへの切り替えを容易に行うことができ、良好な操作性を得ることができる。
【００１６】
ここで、上記のように、車両が登坂路を力行している場合にニュートラルレンジへの切り替え操作が行われたとしても、その操作は誤操作である可能性が高い。しかしながら、車両が登坂路を力行しているときであってもエンジン回転数が過剰に上昇したとき（例えば、何らかの原因でアクセルペダルの踏み込み量が過大になったとき等）には、車両の急加速を回避すること等を目的として、ドライバーが意図してニュートラルレンジへの切り替え操作を行う場合がある。
【００１７】
そこで、本発明において、上記制御手段は、車両が登坂中であり且つ上記アクセルペダルが踏み込み操作されている状態であっても、エンジン回転数が予め設定された基準回転数以上のときは、上記操作部材がニュートラルレンジへの切り替え方向に上記第３操作量変位操作されるのに応じてニュートラルレンジへの切り替えを許可するのが好ましい（請求項３）。
【００１８】
このようにすれば、車両の急加速等を回避して安全性を高めることができる。
【００１９】
また、本発明において、上記制御手段は、車両が登坂中であり且つ上記アクセルペダルが踏み込み操作されている状態であっても、上記操作部材に対して予め設定された切替許容操作が行われたときは、ニュートラルレンジへの切り替えを許可するのが好ましい（請求項４）。
【００２０】
このようにすれば、ドライバーが特定の切替許容操作を実施することで、車両が登坂路を力行している場合においてもニュートラルレンジへの切り替えを行うことができるため、ドライバーの意図に合致した変速レンジの切り替えを行うことができ、操作性を高めることができる。
【００２１】
ここで、上記制御手段は、上記操作部材をニュートラルレンジへの切り替え方向に上記第３操作量変位させる操作が所定時間以内に複数回繰り返されたときに、上記切替許容操作が行われたと判定するのが好ましい（請求項５）。
【００２２】
このようにすれば、比較的簡単な構成でドライバーがニュートラルレンジへの切り替えを意図していることを判別することができる。
【００２３】
上記とは別の構成として、上記制御手段は、上記操作部材をニュートラルレンジへの切り替え方向に上記第３操作量変位したときに当該操作部材に加えられている操作力が予め設定された基準力以上であれば、上記切替許容操作が行われたと判定するのが好ましい（請求項６）。
【００２４】
この構成においても、比較的簡単な構成でドライバーがニュートラルレンジへの切り替えを意図していることを判別することができる。
【００２５】
また、上記とは別の構成として、上記制御手段は、上記操作部材をニュートラルレンジへの切り替え方向に上記第３操作量変位した状態が予め設定された基準時間以上継続したときに、上記切替許容操作が行われたと判定するのが好ましい（請求項７）。
【００２６】
この構成においても、比較的簡単な構成でドライバーがニュートラルレンジへの切り替えを意図していることを判別することができる。
【発明の効果】
【００２７】
以上のように、本発明によれば、レイアウト性を高めつつ安全性を確保することができる。
【図面の簡単な説明】
【００２８】
【図１】本発明の一実施形態に係るシフト装置が適用された車両の車室前部を示す図である。
【図２】上記シフト装置に含まれるレバーユニットの斜視図である。
【図３】上記レバーユニットの一部切欠き斜視図である。
【図４】上記レバーユニットの一部切欠き斜視図である。
【図５】上記レバーユニットの分解斜視図である。
【図６】上記レバーユニットのシフトレバーの車幅方向の動きを説明するための図である。
【図７】上記シフトレバーの前後方向の動きを説明するための図である。
【図８】上記レバーユニットのディテント用誘導部材の構造を説明するための図である。
【図９】上記レバーユニットの規制溝の構造を説明するための図である。
【図１０】上記シフト装置の制御系統を示すブロック図である。
【図１１】ニュートラルレンジへの切り替えに関する制御手順を示したフローチャートである。
【発明を実施するための形態】
【００２９】
（１）全体構成
図１は、本発明の一実施形態にかかるシフト装置１が適用された車両の車室前部を示す図である。本図に示すように、車室前部には、メータユニット３やステアリングハンドル４等が設けられるインストルメントパネル２と、インストルメントパネル２の車幅方向中央部から運転席と助手席との間を通って車両後方に延びるセンターコンソール５とが設置されている。以下では、図１に示すように、シフト装置１が、ステアリングハンドル４および運転席が車両右側に設けられたいわゆる右ハンドル車に適用された場合について説明する。
【００３０】
本実施形態において、車両は、ガソリンエンジンまたはディーゼルエンジン等の内燃機関からなるエンジン（図示省略）と、エンジンの駆動力を減速しつつ車輪に伝達する自動変速機１１０（図１０参照）とを備えている。自動変速機１１０は、遊星歯車機構を含み、当該歯車機構によって実現される複数の減速比の中から車速やエンジン負荷等に応じた適切な減速比を自動的に選択する有段式の変速機（ＡＴ）である。この自動変速機１１０の変速レンジとしては、駆動力の伝達が切断されるニュートラルレンジと、駆動力の伝達が切断された上に出力軸がロックされるパーキングレンジと、車両を前進させる方向に駆動力を伝達するドライブレンジ（前進走行レンジ）と、車両を後退させる方向に駆動力を伝達するリバースレンジ（後退走行レンジ）とが存在する。
【００３１】
シフト装置１は、変速レンジを、これらドライブレンジとリバースレンジとニュートラルレンジの中から所望のレンジに切り替えるためのものであり、センターコンソール５の上面に設けられるレバーユニット７と、コントローラ（図１０参照）１０１とを備えている。レバーユニット７は、上記変速レンジの切り替え時に操作されるものである。
【００３２】
なお、パーキングレンジは、このレバーユニット７とは別の操作部材の操作により切り替えられるようになっている。本実施形態では、インストルメントパネル２にパーキングレンジを選択するためのパーキングスイッチ８（図１０参照）が設けられており、このパーキングスイッチ８の操作によってパーキングレンジへの切り替えが行われる。
【００３３】
選択中の変速レンジは、メータユニット３に表示されるようになっている。すなわち、メータユニット３は、その所定箇所（例えばスピードメータとタコメータとの間）に液晶画面等からなる表示部を有しており、その表示部に、選択中の変速レンジに対応したＰ（パーキングレンジ），Ｒ（リバースグレンジ），Ｎ（ニュートラルレンジ），Ｄ（ドライブレンジ）のいずれかの文字が表示されるようになっている。
【００３４】
図２〜図９を用いて、レバーユニット７の具体的構造について説明する。なお、以下では、車幅方向すなわち図１の左右方向を単に左右方向といい、図１の右を単に右、図１の左を単に左として説明する。また、車両前後方向を単に前後方向といい、車両前後方向前を単に前、車両前後方向後を単に後という。また、図面において、矢印Ｆは車両の前方を示し（言い換えると、矢印Ｆの反対側が車両後方である）、矢印Ｌは車両の左側、矢印Ｒは車両の右側を示している。
【００３５】
レバーユニット７は、シフトレバー１０と、本体部４０と、ＤＲレバー回転センサ５２と、Ｎレバー回転センサ５４とを備えている。
【００３６】
シフトレバー１０は、請求項にいう「操作部材」に相当するものである。具体的に、本実施形態のシフトレバー１０は、ドライバーにより把持される球状のシフトノブ１２と、シフトノブ１２から下方に延びる棒状のレバー部１４と、レバー部１４の下端に設けられたブロック状の基部１６と、基部１６の上方に設けられたレバー側カバー部１５と、基部１６から右斜め下方に突出する棒状の規制軸２４と、基部１６から左斜め下方に突出する棒状のディテント用脚部２６と、基部１６の下部から前方に突出する棒状のＮセンサ操作部２２とを有している。
【００３７】
ディテント用脚部２６の本体部分（先端（下端部）２６ｂよりも上側の部分）２６ａの内部には、圧縮スプリング（不図示）が設けられており、この圧縮スプリングによって先端２６ｂは下方に押圧されている。これにより、ディテント用脚部２６の先端２６ｂは、圧縮スプリングを押し戻す上向きの力を受けると上昇し、その力が減少すると下降するというように、本体部分２６ａに対して進退自在となっている。
【００３８】
本体部４０は、シフトレバー１０を支持する機能を有する。本体部４０は、上面が開口した箱状の筐体４２と、筐体４２の上面を覆うように取り付けられるカバー部４１と、筐体４２内に収容された支持ブロック４４と、筐体４２の底面上に固定された規制部４６と、同じく筐体４２の底面上に固定されたディテント用誘導部材４８とを有している。
【００３９】
図４に示すように、筐体４２の底面は、前後方向からみて略Ｖ字状を有し、左右中央から右斜め上方に傾斜する右底面４１ｂと、左右中央から左斜め上方に傾斜する左底面４１ｃとからなり、規制部４６は、右底面４１ｂ上に設けられ、ディテント用誘導部材４８は、左底面４１ｃ上に設けられている。
【００４０】
上記ＤＲレバー回転センサ５２は、筐体４２の左側面の外側に固定されており、Ｎレバー回転センサ５４は、筐体４２の前側面の内側に固定されている。
【００４１】
シフトレバー１０は、カバー部４１に形成された円形のゲート孔４１ａ内にレバー部１４が挿通された状態で、本体部４０の支持ブロック４４に支持されている。なお、この支持状態では、図２に示すように、シフトレバー１０のレバー側カバー部１５がゲート孔４１ａを塞ぎ、良好な見栄えが確保されている。
【００４２】
支持ブロック４４は、上下に延びる角筒状の本体ブロック４４ｄと、本体ブロック４４ｄの左右両側面から左右外側に突出する円柱状の第１支持軸４４ｂ，４４ｃとを有している。支持ブロック４４は、一方の第１支持軸４４ｂが、筐体４２の左側面に形成された円形の貫通孔４２ａ内にその中心軸を中心として回転可能に挿通され、他方の第１支持軸４４ｃが筐体４２の右側面に設けられた支持部材（不図示）にその中心軸を中心として回転可能に支持されることで、筐体４２内に、これら第１支持軸４４ｂ、４４ｃの中心軸を中心として回転可能に収容されている。
【００４３】
本体ブロック４４ｄは、シフトレバー１０の基部１６を内側に収容可能な大きさを有しており、シフトレバー１０は、基部１６がこの本体ブロック４４ｄ内に収容されることで本体ブロック４４ｄに支持されている。
【００４４】
具体的には、支持ブロック４４には、その前側面と後側面に形成された貫通孔４４ｅ，４４ｅに挿通されてこれら側面間にわたって前後に延びる円柱状の第２支持軸４４ａが設けられている。シフトレバー１０は、その基部１６に形成された貫通孔１６ａ内にこの第２支持軸４４ａが挿通されることで、本体ブロック４４ｄに支持されている。
【００４５】
第２支持軸４４ａの外径と、貫通孔１６ａの内径とはほぼ同じに設定されている。そのため、貫通孔１６ａ内に第２支持軸４４ａが挿通されることで、シフトレバー１０は、図６に示すように、第２支持軸４４ａの中心軸すなわち貫通孔１６ａの中心軸を中心として左右に回転可能すなわち左右に傾動可能に支持される。
【００４６】
ここで、上述のように、支持ブロック４４は、第１支持軸４４ｂ，４４ｃの中心軸を中心として回転可能である。そのため、支持ブロック４４に支持されることで、シフトレバー１０は、図７に示すように、支持ブロック４４と一体に、第１支持軸４４ｂ，４４ｃの中心軸を中心として前後に回転可能すなわち前後に傾動可能に支持される。このように、シフトレバー１０は、支持ブロック４４によって前後左右に傾動可能に支持される。
【００４７】
本体部４０のディテント用誘導部材４８は、傾動変位後のシフトレバー１０を自動的に元の位置（後述するホーム位置）に戻すためのものである。ディテント用誘導部材４８は、下方（詳細には左斜め下方）に凹んだ部分凹球面状、すなわち、断面視で下方に凹む円弧状を有する凹面４８ａを有している。
【００４８】
シフトレバー１０が本体部４０に支持された状態において、シフトレバー１０のディテント用脚部２６の先端２６ｂは、このディテント用誘導部材４８の凹面４８ａと対接している。そして、ディテント用脚部２６の先端２６ｂは、この凹面４８ａに、上記圧縮スプリングによる押圧力を受けて常時押し付けられている。
【００４９】
図８に示すように、ディテント用脚部２６の先端２６ｂは、凹面４８ａの中心部（凹球面の底部）に対接しているとき、ディテント用脚部２６の本体部分２６ａから最も進出する。このとき圧縮スプリングは最も伸びて付勢力は最小となる。一方、ディテント用脚部２６の先端２６ｂは、凹面４８ａの中心部から離れると、ディテント用脚部２６の本体部分２６ａの内部に後退する。このとき、圧縮スプリングは縮みディテント用脚部２６の先端２６ｂに加えられる付勢力は増大する。ディテント用脚部２６の先端２６ｂの後退量および圧縮スプリングからこの先端２６ｂに加えられる付勢力は、先端２６ｂの凹面４８ａの中心部からの離間量が大きくなるほど大きくなる。圧縮スプリングから加えられる付勢力が増大すると、ディテント用脚部２６の先端２６ｂは凹面４８ａに強く押し付けられる。そして、この押し付け力は、ディテント用脚部２６の先端２６ｂを凹面４８ａの中心部に戻す力に変換される。
【００５０】
従って、シフトレバー１０に対して操作力（シフトレバー１０を傾動させる力）が加えられていないときは、シフトレバー１０はディテント用脚部２６の先端２６ｂが凹面４８ａの中心部に配置される位置に支持される。以下では、この位置をホーム位置という。このホーム位置ではシフトレバー１０は、図３等に示すように、カバー部４１に直交して延びる姿勢となる。そして、ホーム位置にあるシフトレバー１０が操作力を受けて傾動してディテント用脚部２６の先端２６ｂが凹面４８ａの中心部から離間すると、それに伴いこの先端２６ｂには、凹面４８ａの中心部に戻そうとする力が発生する。そのため、シフトレバー１０に対する操作力が解除されると、シフトレバー１０は自ずとホーム位置に復帰する。このように、本実施形態のシフトレバー１０は、ホーム位置から傾動可能であるとともに傾動後にホーム位置に自動的に復帰するモメンタリ式の装置である。
【００５１】
本体部４０の規制部４６は、シフトレバー１０の前後および左右の傾動を規制するためのものである。規制部４６には、規制溝４６ａが形成されている。規制溝４６ａは、Ｔ字状を有しており、図４および図９に示すように、前後に延びるＤＲ規制溝４６ａ＿１と、ＤＲ規制溝４６ａ＿１の前後中央（図９にＨで示す位置）から右側に延びるＮ規制溝４６ａ＿２とで構成されている。
【００５２】
シフトレバー１０の規制軸２４の先端（下端部）はこの規制溝４６ａ内に配置されており、規制軸２４はこの規制溝４６ａ内のみでしか移動できないようになっている。
【００５３】
すなわち、シフトレバー１０は、規制軸２４がＤＲ規制溝４６ａ＿１の前端と当接する位置と、後端と当接する位置との間でのみ前後に傾動可能となっている。また、シフトレバー１０は、規制軸２４がＤＲ規制溝４６ａ＿１の前後中央にある位置から、規制軸２４が右側に向かう向きすなわちシフトノブ１２を含むシフトレバー１０の上部が左に向かう向きにしか傾動できないように、かつ、規制軸２４がＮ規制溝４６ａ＿２の右端と当接する位置までしか傾動できないようになっている。ここで、規制軸２４は、シフトレバー１０がホーム位置にある状態でＤＲ規制溝４６ａ＿１の前後中央に配置される。
【００５４】
以下では、適宜、シフトノブ１２を含むシフトレバー１０の上部の傾動方向を、シフトレバー１０の傾動方向として説明する。すなわち、シフトノブ１２を含むシフトレバー１０の前方への傾動を、単に前方への傾動といい、シフトノブ１２を含むシフトレバー１０の上部の後方への傾動を、単に後方への傾動という。また、シフトノブ１２を含むシフトレバー１０の右側への傾動を、単に右側への傾動といい、シフトノブ１２を含むシフトレバー１０の上部の左側への傾動を、単に左側への傾動という。また、適宜、規制軸２４がＤＲ規制溝４６ａ＿１の後端と当接する位置を前方の変位限界位置といい、規制軸２４がＤＲ規制溝４６ａ＿１の前端と当接する位置を後方の変位限界位置といい、規制軸２４がＮ規制溝４６ａ＿２の右端と当接する位置を左側の変位限界位置という。また、シフトレバー１０がホーム位置から前方の変位限界位置まで変位する量を前方変位可能量といい、シフトレバー１０がホーム位置から後方の変位限界位置まで変位する量を後方変位可能量といい、シフトレバー１０がホーム位置から左側の変位限界位置まで変位する量を左側変位可能量という。
【００５５】
ここで、図９に示すように、ＤＲ規制溝４６ａ＿１の前後中央からＮ規制溝４６ａ＿２の右端まで規制軸２４が移動する距離Ｌ２は、ＤＲ規制溝４６ａ＿１の前後中央からＤＲ規制溝４６ａ＿１の前端および後端まで規制軸２４が移動する各距離Ｌ１，Ｌ１よりも小さく設定されている。従って、シフトレバー１０がホーム位置から左側の変位限界位置まで変位する量である左側変位可能量は、シフトレバー１０がホーム位置から前方および後方の変位限界位置まで変位する量である前方変位可能量および後方変位可能量よりも短くなっている。
【００５６】
このように、本実施形態では、左側変位可能量すなわちシフトレバー１０が左右方向に変位する量が比較的小さく抑えられており、シフトレバー１０のうち少なくともセンターコンソール５から上方に露出する部分の可動範囲の左右方向の寸法が小さく抑えられている。
【００５７】
ＤＲレバー回転センサ５２は、シフトレバー１０の前後の傾動変位量を検出するためのセンサである。ＤＲレバー回転センサ５２には一方の第１支持軸４４ｂが係合しており、ＤＲレバー回転センサ５２はこの第１支持軸４４ｂの回転角度を検出する。すなわち、シフトレバー１０が前後に傾動変位すると、その変位量に比例した角度だけ第１支持軸４４ｂが回転するため、ＤＲレバー回転センサ５２は、シフトレバー１０の前後の傾動変位量としてこの第１支持軸４４ｂの回転角度を検出する。
【００５８】
Ｎレバー回転センサ５４は、シフトレバー１０の左右の傾動変位量を検出するためのセンサである。Ｎレバー回転センサ５４は、シフトレバー１０の左右の傾動変位量として筐体４２の前側面に枢着された揺動部材５４ａの揺動量を検出する。具体的には、図６に示すように、揺動部材５４ａは上下に長尺な板状部材からなり、その下部が揺動軸５４ｂを介して筐体４２の前側面に枢着されることにより、揺動軸５４ｂを中心にして左右に揺動可能に支持されている。揺動部材５４ａの上下方向中間部には、上下方向に長尺な長穴が形成されており、この長穴にはシフトレバー１０のＮセンサ操作部２２の先端（前端）が挿入されている。このように長穴に挿入されたＮセンサ操作部２２は、シフトレバー１０が左右に傾動するのに伴い揺動部材５４ａをこの傾動方向と逆方向に押動し、これに伴い揺動部材５４ａの上端部は揺動する。Ｎレバー回転センサ５４は、この揺動部材５４ａの上端部の揺動量を検出することで、シフトレバー１０の揺動量すなわち左右の傾動変位量を検出する。
【００５９】
（２）制御
図１０は、本実施形態のシフト装置１に関する制御系統を示すブロック図である。本図に示されるコントローラ１０１は、周知のＣＰＵ、ＲＡＭ、ＲＯＭ等を含むマイクロコンピュータからなるもので、自動変速機１１０の変速動作を制御する等の機能を有している。なお、図１０ではコントローラ１０１が一体のブロックとして表されているが、コントローラ１０１は、例えば車体側と自動変速機１１０側とにそれぞれ分割して設けられた複数のマイクロコンピュータから構成されるものであってもよい。このコントローラ１０１は、請求項にいう「制御手段」に相当するものである。
【００６０】
コントローラ１０１は、上述したパーキングスイッチ８、ＤＲレバー回転センサ５２、Ｎレバー回転センサ５４、メータユニット３、および自動変速機１１０（より詳しくは変速アクチュエータ１１１）と電気的に接続されている。なお、自動変速機１１０の変速アクチュエータ１１１とは、例えば、自動変速機１１０に内蔵されるクラッチやブレーキ等の摩擦締結要素の締結・解放を切り替えるソレノイドバルブ等のことである。
【００６１】
また、車両には、アクセルペダルの踏み込み量を検出するアクセル開度センサ１０２、および、車両の傾きを検出する勾配センサ１０３が設けられており、コントローラ１０１は、これらアクセル開度センサ１０２、勾配センサ１０３とも電気的に接続されている。
【００６２】
コントローラ１０１は、シフトレバー１０の操作状態に応じてそれぞれ所定の信号を出力するＤＲレバー回転センサ５２、Ｎレバー回転センサ５４およびパーキングスイッチ８からの信号に基づいて、自動変速機５０の変速レンジの切り替え制御や、メータユニット３の表示制御（現在の変速レンジを表示する制御）等を実行する。
【００６３】
変速レンジの切り替え制御について具体的に説明する。
【００６４】
コントローラ１０１は、パーキングスイッチ８から所定の信号が出力されるとパーキングスイッチ８が押圧操作されたと判定して、変速アクチュエータ１１１に対して変速レンジをパーキングレンジに切り替えるよう指令を出す。
【００６５】
コントローラ１０１は、ＤＲレバー回転センサ５２から入力されるシフトレバー１０の前後の傾動変位量を表す信号に基づいて、シフトレバー１０が前方の変位限界位置まで傾動したこと、すなわち、シフトレバー１０がホーム位置から前方に前方変位可能量（第１操作量）傾動操作されたことが確認されると、変速アクチュエータ１１１に対して変速レンジをリバースレンジに切り替えるよう指令を出す。
【００６６】
また、コントローラ１０１は、ＤＲレバー回転センサ５２から入力されるシフトレバー１０の前後の傾動変位量を表す信号に基づいて、シフトレバー１０が後方の変位限界位置まで傾動したこと、すなわち、シフトレバー１０がホーム位置から後方に後方変位可能量（第２操作量）傾動操作されたことが確認されると、変速アクチュエータ１１１に対して変速レンジをドライブレンジに切り替えるよう指令を出す。
【００６７】
一方、コントローラ１０１は、Ｎレバー回転センサ５４から入力されるシフトレバー１０の左右の傾動操作量を表す信号に基づいて、シフトレバー１０が左側の変位限界位置まで傾動した、すなわち、シフトレバー１０がホーム位置から左側に左側変位可能量（第３操作量）傾動操作されたと判定して、変速アクチュエータ１１１に対して変速レンジをニュートラルレンジに切り替えるよう指令を出す。
【００６８】
このように、本実施形態では、シフトレバー１０がホーム位置から前方へ前方変位可能量傾動操作されることによりリバースレンジに切り替えられ、シフトレバー１０が後方へ後方変位可能量操作されることによりドライブレンジに切り替えられ、シフトレバー１０が左側へ左側変位可能量傾動操作されることによりニュートラルレンジに切り替えられる。
【００６９】
ただし、コントローラ１０１は、上記のように、シフトレバー１０が左側へ左側変位可能量傾動操作された場合であっても、車両が登坂路を力行しているとき（アクセルＯＮすなわちアクセルペダルが踏み込み操作されておりかつ車両が登坂中であるとき）には、基本的に変速レンジのニュートラルレンジへの切り替えを禁止する。一方で、このような場合、すなわち、車両が登坂路を力行している状態でシフトレバー１０が左側へ左側変位可能量傾動操作された場合であっても、エンジン回転数が所定の基準回転数以上である、あるいは、シフトレバー１０に対して所定のＮ許容操作（切替許容操作）がなされたときには、変速レンジのニュートラルレンジへの切り替えを許容する。
【００７０】
上記Ｎ許容操作とは、ドライバーが変速レンジをニュートラルレンジに切り替えようとしていることがより明確に判別できる操作であり、本実施形態では、Ｎ許容操作として、シフトレバー１０を所定時間内に２回以上連続して左側へ左側変位可能量傾動させるという操作が設定されている。
【００７１】
図１１を用いて具体的に説明する。
【００７２】
まず、ステップＳ１にて、コントローラ１０１は、シフトレバー１０がホーム位置から左側に左側変位可能量傾動操作されたか否かを判定する。
【００７３】
ステップＳ１の判定がＮＯであって、シフトレバー１０が左側へ左側変位可能量傾動操作されていない場合には、コントローラ１０１は、変速レンジをニュートラルレンジへ切り替えることなくそのまま処理を終了する。
【００７４】
ステップＳ１の判定がＹＥＳの場合は、ステップＳ２に進む。ステップＳ２では、コントローラ１０１は、アクセルＯＮかつ車両が登坂中であるか否かを判定する。具体的には、コントローラ１０１は、アクセル開度センサ１０２の検出値に基づいてアクセルＯＮか否かを判定するとともに、勾配センサ１０３の検出値に基づいて車両が登坂中か否かを判定する。
【００７５】
ステップＳ２の判定がＮＯの場合は、ステップＳ４に進み、コントローラ１０１は、変速レンジをニュートラルレンジに切り替える。すなわち、コントローラ１０１は、アクセルＯＦＦの場合（アクセルペダルの踏み込みがなされていない場合）には車両が登坂中か否かによらずシフトレバー１０の操作に従って変速レンジをニュートラレンジに切り替えるとともに、車両が登坂中でない場合にはアクセルのＯＮ／ＯＦＦによらずシフトレバー１０の操作に従って変速レンジをニュートラレンジに切り替える。
【００７６】
一方、ステップＳ２の判定がＹＥＳの場合、すなわち、アクセルＯＮかつ車両が登坂中である場合は、ステップＳ３に進む。ステップＳ３では、コントローラ１０１は、エンジン回転数が所定の基準回転数以上であるか否か、および、シフトレバー１０に対してＮ許容操作が実施されたか否か、すなわち、基準時間内にシフトレバー１０が左側に連続して２回左側変位可能量傾動操作されたか否かを判定する。コントローラ１０１は、回転数センサ１０４の検出値に基づいてエンジン回転数が所定の基準回転数以上か否かを判定する。
【００７７】
ステップＳ３の判定がＹＥＳの場合は、ステップＳ４に進み、コントローラ１０１は、変速レンジをニュートラルレンジに切り替える。すなわち、コントローラ１０１は、アクセルＯＮかつ車両が登坂中であっても、エンジン回転数が基準回転数以上である場合、あるいは、Ｎ許容操作が実施された場合には、シフトレバー１０の操作に従って変速レンジをニュートラレンジに切り替える。
【００７８】
一方、ステップＳ３の判定がＮＯの場合は、コントローラ１０１は、変速レンジをニュートラルレンジに切り替えることなく処理を終了する。すなわち、コントローラ１０１は、アクセルＯＮかつ車両が登坂中であって、さらに、エンジン回転数が基準回転数未満、かつ、Ｎ許容操作が実施されていない場合には、シフトレバー１０が左側へ左側変位可能量傾動操作されても、ニュートラルレンジへの切り替えを禁止する。
【００７９】
このように、本実施形態では、シフトレバー１０が左側へ左側変位可能量傾動操作された場合であっても、車両が登坂路を力行しており、エンジン回転数が所定の基準回転数未満、かつ、シフトレバー１０に対してＮ許容操作がなされていないときには、変速レンジのニュートラルレンジへの切り替えを禁止する。
【００８０】
（３）作用等
以上説明したように、本実施形態では、左側変位可能量すなわち変速レンジを切り替えるために必要なシフトレバー１０の左側への操作量が比較的小さく抑えられて、シフトレバー１０の左右の可動範囲すなわちシフトレバー１０の占有領域の左右寸法が小さく抑えられている。そのため、シフトレバー１０周囲のレイアウト性を高めることができるとともに、レバーユニット７およびシフト装置１のコンパクト化を図ることができる。特に、センターコンソール５は運転席と助手席との間に位置しており、その左右方向の寸法には上限がある。そのため、上記のように、シフトレバー１０がセンターコンソール５上に露出するよう配置されている場合においてシフトレバー１０の左右の可動範囲が小さく抑えられれば、センターコンソール５上のレイアウト性を効果的に高めることができる。
【００８１】
また、本実施形態では、シフトレバー１０の左右方向の操作の向きが、運転席に着座しているドライバーから遠ざかる向きであって、ドライバーが操作しやすい方向になっているため、操作性が高められている。
【００８２】
ただし、上記のようにシフトレバー１０の左側への必要操作量すなわちニュートラルレンジへの切り替えに必要な操作量が小さく抑えられていると、例えば乗員の手が誤って操作部材に触れるなどしたときに、シフトレバー１０がこの操作量分変位してしまい、ドライバーの意に反して変速レンジがニュートラルレンジに切り替わるという事態が起こり得る。特に、このような不意なニュートラルレンジへの切り替わりが、車両が登坂路を力行しているときに起きると、駆動トルクの抜けに伴って車両が意に反して減速することになり好ましくない。
【００８３】
これに対して、本実施形態では、上記のように、アクセルＯＮかつ車両が登坂中の場合すなわち車両が登坂路を力行しているときには、基本的に、シフトレバー１０がニュートラルレンジへの切り替え方向（左側）に必要操作量（左側変位可能量）操作されても、ニュートラルレンジへの切り替えを禁止するよう制御される。そのため、上記のように、レイアウト性および操作性を高めつつ、車両の不意の減速を回避して安全性を高めることができる。
【００８４】
一方、エンジン回転数が高い場合（何らかの原因でエンジン回転数が過上昇した場合等）には、アクセルＯＮかつ車両が登坂中であっても、車両の急加速を回避するべくドライバーが変速レンジをニュートラルレンジに切り替えることが考えられる。
【００８５】
これに対して、本実施形態では、上記のように、アクセルＯＮかつ車両が登坂中の場合であっても、エンジン回転数が基準回転数以上という条件下でシフトレバー１０がニュートラルレンジへの切り替え方向（左側）に必要操作量（左側変位可能量）されたときには、ニュートラルレンジへの切り替えが許容される。そのため、車両の急加速を回避して安全性を確保することができる。
【００８６】
また、上記のようなエンジン回転数が高いという条件以外にも、アクセルＯＮかつ車両が登坂中の場合において、ドライバーが意図して変速レンジをニュートラルレンジに切り替える場合があり得る。
【００８７】
これに対して、本実施形態では、上記のように、アクセルＯＮかつ車両が登坂中の場合であっても、上記Ｎ許容操作が行われたときには、ニュートラルレンジへの切り替えが許容されるようになっている。そのため、ドライバーの意図に合致した変速レンジの切り替えを行うことができ、上記のように安全性を確保しつつ、高い操作性を確保することができる。
【００８８】
また、本実施形態では、ドライブレンジに切り替えるのに必要なシフトレバー１０の前方への操作量およびリバースレンジに切り替えるのに必要なシフトレバー１０の後方への操作量は、比較的大きく確保されている。そのため、シフトレバー１０の予期せぬ前後方向の移動によって変速レンジがドライブレンジあるいはリバースレンジに切り替わるのを抑制することができる。
【００８９】
また、ドライブレンジへの切り替え方向が後方、リバースレンジへの切り替え方向が前方と、従来のシフトレバーの操作方向と同じ方向に設定されているため、ドライバーは違和感なくこれらレンジへの切り替えを行うことができる。
【００９０】
（４）変形例
上記実施形態では、シフトレバー１０の左側への操作によって変速レンジがニュートラルレンジに切り替えられる場合について説明したが、この操作方向は右側であってもよい。ただし、上記のように、ドライバーから遠ざかる方向への操作の方がドライバーは操作しやすい。そのため、右ハンドル車の場合には、ニュートラルレンジへの切り替え方向を左側とし、左ハンドル車の場合には、この方向を右側とするのがよい。
【００９１】
上記実施形態では、Ｎ許容操作として、シフトレバー１０を所定時間以内に２回以上連続して左側へ左側変位可能量傾動させるという操作、すなわち、所定時間以内に２回以上連続してシフトレバー１０をニュートラルレンジへ切り替える方向にこの切り替えに必要な操作量変位させるという操作に設定した場合について説明したが、Ｎ許容操作は、ドライバーがニュートラルレンジへの切り替えを意図していると判別できる操作であればよく、上記操作に限られない。例えば、上記操作回数は、２回より多く設定されていてもよい。
【００９２】
また、Ｎ許容操作として、シフトレバー１０をニュートラルレンジへ切り替える方向（上記実施形態では左側）にこの切り替えに必要な操作量（上記実施形態では左側変位可能量）変位させたときにシフトレバー１０に加えられている操作力が予め設定された基準力以上であるというものにしてもよい。なお、変位後のシフトレバー１０に加えられている操作力が基準力以上であるか否かは、例えば、上記実施形態において、溝４６ａ＿２の端部に規制軸２４から受ける圧力を検出する感圧センサを設けてこのセンサの検出値に基づいて判定すればよい。
【００９３】
また、Ｎ許容操作として、シフトレバー１０を予め設定された基準時間以上継続してニュートラルレンジへの切り替え方向に、この切り替えに必要な操作量変位させる操作としてもよい。なお、通常時（アクセルＯＮ且つ車両が登坂中であるという条件以外の条件下）において、ニュートラルレンジへの切り替えを、上記操作が所定時間継続した場合に実施するよう構成したときは、上記基準時間は、この所定時間以上に設定する。
【００９４】
また、上記実施形態では、アクセルＯＮ且つ車両が登坂中である場合において、さらに、エンジン回転数とＮ許容操作の有無に応じて、ニュートラルレンジへの切り替えを許可するかどうかを決定する場合について説明したが、エンジン回転数とＮ許容操作の有無によらず、アクセルＯＮ且つ車両が登坂中であればニュートラルレンジへの切り替えを禁止するようにしてもよい。また、アクセルＯＮ且つ車両が登坂中の場合において、エンジン回転数とＮ許容操作の有無のいずれか一方に応じてニュートラルレンジへの切り替えを許可するかどうかを決定してもよい。ただし、これらの条件に応じてこの決定を行えば、上記のように、安全性および操作性をより高めることができる。
【００９５】
また、上記実施形態では、ＤＲレバー回転センサ５２およびＮレバー回転センサ５４によってシフトレバー１０の傾動変位量が所定値（前方変位可能量、後方変位可能量、左側変位可能量）以上になったか否かに応じて変速レンジをドライブレンジ等に切り替える場合について説明したが、シフトレバー１０の傾動変位量が所定値以上になることで所定の信号を出力する感圧センサやスイッチを用い、この感圧センサあるいはスイッチからの信号に基づいて変速レンジを切り替えるようにしてもよい。
【００９６】
また、上記実施形態では、シフトレバー１０がホーム位置から各変位限界位置（規制軸２４がＤＲ規制溝の各端部と当接する位置）まで移動する量、すなわち、シフトレバー１０がホーム位置から移動可能な量の最大値を、変速レンジを切り替えるために必要な操作量（変速レンジの切り替えが実行される量、第１操作量、第２操作量、第３操作量）とした場合について説明したが、この必要操作量は、上記最大量よりも小さくてもよい。
【００９７】
また、上記実施形態のシフト装置１は、エンジン（内燃機関）と車輪との間に介設された有段式の自動変速機５０の変速レンジを切り替え操作するものであったが、本発明が適用可能な変速機は、有段式の自動変速機に限られず、例えば無段式の自動変速機（ＣＶＴ）であってもよい。さらには、電気自動車に用いられる変速機のように、前進／後退を電気的に切り替えるものにも本発明を適用することができる。
【符号の説明】
【００９８】
１  シフト装置
７  レバーユニット
１０  シフトレバー（操作部材）
４０  本体部
１０１  コントローラ（制御手段）
【図１】
2016113069.tif 000003
【図２】
2016113069.tif 000004
【図３】
2016113069.tif 000005
【図４】
2016113069.tif 000006
【図５】
2016113069.tif 000007
【図６】
2016113069.tif 000008
【図７】
2016113069.tif 000009
【図８】
2016113069.tif 000010
【図９】
2016113069.tif 000011
【図１０】
2016113069.tif 000012
【図１１】
2016113069.tif 000013